(57)【特許請求の範囲】
【請求項１】
表示設定に用いるメニュー画像の表示位置を示すメニュー位置情報及び該メニュー画像から遷移する各設定項目を識別するためのＩＤ情報を含むメニュー情報を出力し、外部から送信された前記ＩＤ情報にしたがって、前記メニュー画像内の操作対象となる設定項目を提示すると共に、前記メニュー画像内の選択された設定項目に対応する処理を実行する映像表示装置と、
前記映像表示装置から受信した前記メニュー情報と、入力装置の操作に伴うカーソルの表示位置を示すカーソル位置情報とに基づき前記カーソルが前記メニュー画像の表示領域内に移動したか否かを判定し、前記カーソルが前記メニュー画像の表示領域内に移動すると、該カーソルの位置に対応する前記メニュー画像内の設定項目を識別するためのＩＤ情報及び該設定項目が操作対象であることを示す情報を前記映像表示装置へ送信し、前記入力装置の選択操作により該操作対象が選択されたことを示すイベント信号が発生すると、該選択された設定項目を識別するためのＩＤ情報及び該設定項目が選択されたことを示す情報を前記映像表示装置へ送信するコンピュータと、
を有する映像表示システム。
【請求項２】
前記コンピュータは、
前記メニュー画像の操作開始が指示されてから前記メニュー画像の操作終了が指示されるまで、前記イベント信号が発行されても表示映像内に配置された描画オブジェクトに対応する処理を実行しない請求項１記載の映像表示システム。
【請求項３】
映像表示装置が、
表示設定に用いるメニュー画像の表示位置を示すメニュー位置情報及び該メニュー画像から遷移する各設定項目を識別するためのＩＤ情報を含むメニュー情報をコンピュータへ送信し、
前記コンピュータが、
前記映像表示装置から受信した前記メニュー情報と、入力装置の操作に伴うカーソルの表示位置を示すカーソル位置情報とに基づき前記カーソルが前記メニュー画像の表示領域内に移動したか否かを判定し、
前記カーソルが前記メニュー画像の表示領域内に移動すると、該カーソルの位置に対応する前記メニュー画像内の設定項目を識別するためのＩＤ情報及び該設定項目が操作対象であることを示す情報を前記映像表示装置へ送信し、
前記入力装置の選択操作により該操作対象が選択されたことを示すイベント信号が発生すると、該選択された設定項目を識別するためのＩＤ情報及び該設定項目が選択されたことを示す情報を前記映像表示装置へ送信し、
前記映像表示装置が、
前記コンピュータから受信した前記ＩＤ情報にしたがって、前記メニュー画像内の操作対象となる設定項目を提示し、前記メニュー画像内の選択された設定項目に対応する処理を実行する映像表示方法。
【請求項４】
前記コンピュータが、
前記メニュー画像の操作開始が指示されてから前記メニュー画像の操作終了が指示されるまで、前記イベント信号が発行されても表示映像内に配置された描画オブジェクトに対応する処理を実行しない請求項３記載の映像表示方法。
【請求項５】
コンピュータから送信された映像信号にしたがって映像を表示すると共に、メニュー画像を用いた表示設定が可能な映像表示装置であって、
前記コンピュータに、表示設定に用いるメニュー画像の表示位置を示すメニュー位置情報及び該メニュー画像から遷移する各設定項目を識別するためのＩＤ情報を含むメニュー情報を出力する機器処理部と、
前記コンピュータから前記ＩＤ情報及び該ＩＤ情報に対応する設定項目が操作対象であることを示す情報を受信すると、該設定項目が操作対象であることを示すメニュー画像を表示し、前記コンピュータから前記ＩＤ情報及び該ＩＤ情報に対応する設定項目が選択されたことを示す情報を受信すると、前記メニュー画像内の選択された設定項目に対応する処理を実行するメニュー制御部と、
を有する映像表示装置。
【発明の詳細な説明】
【技術分野】
【０００１】
本発明は、コンピュータ及び該コンピュータから出力された映像信号にしたがって映像を表示する映像表示装置を備えた映像表示システムに関する。
【背景技術】
【０００２】
プロジェクターや直視型の液晶表示装置等の各種の映像表示装置では、操作スイッチやリモートコントローラを用いて、内蔵スピーカの音量調整、映像入力端子の切り替え、表示映像のコントラストや明るさ等の調整、表示画面サイズの変更等の各種の表示設定が可能である。例えば、特許文献１には、映像表示装置の外装面に設けられた操作スイッチあるいはリモートコントローラを用いて、トリミング画像と全領域画像とをユーザの要求に応じて切り替え表示可能な構成が記載されている。【０００３】
また、映像表示装置には、入力された映像信号にしたがって映像を表示するだけでなく、独自のメニュー画像を表示し、該メニュー画像から上記の各種の表示設定を可能にするための機能も備えている。【０００４】
一般に、映像表示装置では、映像信号と上記メニュー画像とが独立に制御されるため、これらの操作系が異なっている。例えば、コンピュータの出力映像を映像表示装置で表示している場合、コンピュータの出力映像はキーボードやマウス等で操作され、メニュー画像は上述した映像表示装置が備える操作スイッチやリモートコントローラで操作される。すなわち、映像表示装置の表示設定用のメニュー画像はコンピュータで操作することができない。
【先行技術文献】
【特許文献】
【０００５】
【特許文献１】特開２００９−５３６４０号公報
【発明の概要】
【０００６】
そこで本発明は、コンピュータによって映像表示装置のメニュー画像の操作が可能な映像表示システム及び方法を提供することを目的とする。
【０００８】
上記目的を達成するため本発明の映像表示システムは、表示設定に用いるメニュー画像の表示位置を示すメニュー位置情報及び該メニュー画像から遷移する各設定項目を識別するためのＩＤ情報を含むメニュー情報を出力し、外部から送信された前記ＩＤ情報にしたがって、前記メニュー画像内の操作対象となる設定項目を提示すると共に、前記メニュー画像内の選択された設定項目に対応する処理を実行する映像表示装置と、
前記映像表示装置から受信した前記メニュー情報と、入力装置の操作に伴うカーソルの表示位置を示すカーソル位置情報とに基づき前記カーソルが前記メニュー画像の表示領域内に移動したか否かを判定し、前記カーソルが前記メニュー画像の表示領域内に移動すると、該カーソルの位置に対応する前記メニュー画像内の設定項目を識別するためのＩＤ情報及び該設定項目が操作対象であることを示す情報を前記映像表示装置へ送信し、前記入力装置の選択操作により該操作対象が選択されたことを示すイベント信号が発生すると、該選択された設定項目を識別するためのＩＤ情報及び該設定項目が選択されたことを示す情報を前記映像表示装置へ送信するコンピュータと、
を有する。
【００１０】
一方、本発明の映像表示方法は、映像表示装置が、
表示設定に用いるメニュー画像の表示位置を示すメニュー位置情報及び該メニュー画像から遷移する各設定項目を識別するためのＩＤ情報を含むメニュー情報をコンピュータへ送信し、
前記コンピュータが、
前記映像表示装置から受信した前記メニュー情報と、入力装置の操作に伴うカーソルの表示位置を示すカーソル位置情報とに基づき前記カーソルが前記メニュー画像の表示領域内に移動したか否かを判定し、
前記カーソルが前記メニュー画像の表示領域内に移動すると、該カーソルの位置に対応する前記メニュー画像内の設定項目を識別するためのＩＤ情報及び該設定項目が操作対象であることを示す情報を前記映像表示装置へ送信し、
前記入力装置の選択操作により該操作対象が選択されたことを示すイベント信号が発生すると、該選択された設定項目を識別するためのＩＤ情報及び該設定項目が選択されたことを示す情報を前記映像表示装置へ送信し、
前記映像表示装置が、
前記コンピュータから受信した前記ＩＤ情報にしたがって、前記メニュー画像内の操作対象となる設定項目を提示し、前記メニュー画像内の選択された設定項目に対応する処理を実行する方法である。
【図面の簡単な説明】
【００１１】
【図１】図１は、本発明の映像表示システムの一構成例を示すブロック図である。
【図２】図２は、図１に示したコンピュータが備える情報処理部の一構成例を示すブロック図である。
【図３】図３は、第１の実施の形態の映像表示システムの処理手順を示すシーケンス図である。
【図４】図４は、メニュー画像の表示例を示す模式図である。
【図５】図５は、メニュー画像の表示例を示す模式図である。
【図６】図６は、メニュー画像の表示例を示す模式図である。
【図７】図７は、第２の実施の形態の映像表示システムの処理手順を示すシーケンス図である。
【発明を実施するための最良の形態】
【００１２】
次に本発明について図面を参照して説明する。
（第１の実施の形態）
図１は本発明の映像表示システムの一構成例を示すブロック図である。【００１３】
図１に示すように、本発明の映像表示システムは、映像信号を出力するコンピュータ１と、コンピュータ１から出力された映像信号にしたがって映像を表示すると共に、メニュー画像を利用した各種の表示設定が可能な映像表示装置２とを有する構成である。【００１４】
映像表示装置２は、コンピュータ１から出力された映像信号にしたがって映像を表示するための映像信号制御部２１と、メニュー画像からの各種の表示設定を制御するメニュー制御部２２と、映像が投射されるスクリーン２３と、メニュー画像の表示時、コンピュータ１の出力映像にメニュー画像を合成してスクリーン２３に投射する画像合成部２４と、映像表示装置２全体の動作を制御する機器処理部２５とを備えている。なお、図１は、映像表示装置２として、映像をスクリーン２３に投射するプロジェクターを例示しているが、映像表示装置２には直視型の液晶表示装置等を用いてもよい。【００１５】
コンピュータ１は、プログラムにしたがって所定の処理を実行する情報処理部１１と、ユーザによる文字、記号、指示等を入力するための入力装置１２とを備えている。以下では、入力装置１２として、マウスを例にして説明するが、入力装置１２は、マウスに限らず、キーボード、タッチパッド、トラックボール等、映像表示装置２に表示されたカーソルを操作できれば、どのようなものでもよい。【００１６】
図２は図１に示したコンピュータが備える情報処理部の一構成例を示すブロック図である。【００１７】
図２に示すように、情報処理部１１は、プログラムにしたがって処理を実行するＣＰＵ３１と、ＣＰＵ３１の処理で必要なデータを一時的に保持する主記憶装置３２と、ＣＰＵ３１の処理対象のデータや処理後のデータが格納される副記憶装置３３と、プログラムが格納される記録媒体３４と、入力装置１２からの情報を受信する入力ＩＦ（インタフェース）部３５と、映像表示装置２に映像信号を出力するための出力ＩＦ部３６と、映像表示装置２と情報を送受信するための通信制御部３７とを備え、ＣＰＵ３１、主記憶装置３２、副記憶装置３３、記録媒体３４、入力ＩＦ部３５、出力ＩＦ部３６及び通信制御部３７がバス３８で接続された構成である。【００１８】
情報処理部１１は、記録媒体３４に記録されたプログラムにしたがって以下に記載する本発明の処理を実行する。なお、記録媒体３４は、磁気ディスク、半導体メモリ、光ディスクあるいはその他の記録媒体であってもよい。副記憶装置３３は、情報処理部１１内に必ずしも備える必要はなく、情報処理部１１から独立した装置であってもよい。【００１９】
コンピュータ１の情報処理部１１から映像表示装置２の映像信号制御部２１には、出力ＩＦ部３６及び接続線を介して映像信号が送信される。【００２０】
なお、図１に示す映像表示装置２が備える機器処理部２５は、入力ＩＦ部３５や出力ＩＦ部３６が無いことを除けば、図２に示した情報処理部と同様の構成である。映像表示装置２が備える機器処理部２５とコンピュータ１が備える情報処理部１１とは通信線によって接続され、機器処理部２５及び情報処理部１１は、互いの通信制御部３７を介して各種の情報を送受信することが可能である。【００２１】
次に本実施形態の映像表示システムの処理手順について図面を用いて説明する。【００２２】
図３は、第１の実施の形態の映像表示システムの処理手順を示すシーケンス図であり、図４〜図６はメニュー画像の表示例を示す模式図である。以下に示すコンピュータ１の情報処理装置１１及び映像表示装置２の機器処理部２５の処理は、いずれも記録媒体３４に格納されたプログラムにしたがってＣＰＵ３１により実行されるものとする。【００２３】
例えばユーザがコンピュータ１に映像表示装置２のメニュー操作を指示すると、情報処理部１１は、映像表示装置２の機器処理部２５にメニューの操作開始を要求するメニュー操作開始信号を送信する。【００２４】
映像表示装置２の機器制御部２５は、コンピュータ１からメニュー操作開始信号を受信すると、メニュー制御部２２にメニュー画像の表示を指示する。メニュー制御部２２は所定のメニュー画像を画像合成部２４に出力し、画像合成部２４は映像信号制御部２１から出力されたコンピュータ１の出力映像にメニュー画像を合成してスクリーン２３上に投射する（図４）。【００２５】
上述したように、背景技術の映像表示装置では、例えばユーザがマウスを操作してスクリーンに表示されたカーソルをメニュー画像内に移動させても、映像信号にしたがって表示されているカーソルではメニューを操作することができない。【００２６】
本発明のコンピュータ１が備える情報処理装置１１は、映像表示装置２に対するメニュー操作開始信号の送信をトリガにして、映像表示装置２に対する、入力装置１２の操作に伴うカーソルの表示位置を示すカーソル位置情報の送信を開始する。情報処理装置１１からのカーソル位置情報の送信は、ユーザからメニュー操作の終了が指示されるまで継続される。【００２７】
映像表示装置２の機器処理部２５は、メニュー制御部２２からメニュー画像の表示位置を示すメニュー位置情報を取得し、該取得したメニュー位置情報及びコンピュータ１から受信したカーソル位置情報に基づいて、カーソルがメニュー画像の表示領域内に移動したか否かを検出する。カーソルがメニュー画像の表示領域内に移動した場合（図５）、機器処理部２５は、カーソルの位置に対応するメニュー画像内の設定項目が操作対象になったことをメニュー制御部２２に通知する。メニュー制御部２２は、機器処理部２５からの通知にしたがってカーソルの位置に対応するメニュー画像内の設定項目が操作対象であることを示すメニュー画像を表示する。例えば、図４〜図６に示す「信号切替」が操作対象である場合、該「信号切替」の表示色を変更することでユーザに提示する（図６）。【００２８】
また、コンピュータ１は、ユーザの入力装置１２を用いた選択操作、例えばマウスによるクリック操作が発生すると、上記カーソル位置情報に加えて、選択操作の発生を示すイベント信号を映像表示装置２の機器処理部２５へ送信する。【００２９】
機器処理部２５は、コンピュータ１からイベント信号を受信すると、操作対象の設定項目が選択されたと判定し、該判定結果をメニュー制御部２２に通知する。メニュー制御部２２は、機器処理部２５からの通知にしたがって選択された設定項目に対応する処理を実行する。具体的には、メニュー制御部２２は、選択された設定項目から遷移する所定の設定画面を表示する。または、メニュー制御部２２は、選択された設定項目に対応する表示設定を実行する。【００３０】
一般に、メニュー画像は、画像合成部２４の合成処理によって常に最前面に表示される。そのため、メニュー画像によって隠れるコンピュータ１の出力映像上にクリックイベント等に応じて処理を実行するためのアイコンやボタン等の描画オブジェクトが配置されていると、メニュー画像の操作時にユーザの意図しない処理がコンピュータ１で実行されることがある。本実施形態のコンピュータ１が備える情報処理部１１は、ユーザによってメニュー画像の操作開始が指示されてからメニュー画像の操作終了が指示されるまで、すなわち映像表示装置２にカーソル位置情報を送信している期間は、イベント信号が発行されても、表示映像内に配置された上記描画オブジェクトに対応する処理を実行しないようにする。このようにすれば、ユーザの意図しない処理がコンピュータ１で実行されるのを防止できる。【００３１】
第１の実施の形態の映像表示システムによれば、コンピュータ１から映像表示装置２にカーソル位置情報や選択操作の発生を示すイベント信号を送信するため、映像表示装置２は、自装置内で取得できるメニュー位置情報と、カーソル位置情報やイベント信号とに基づいて、操作対象となる設定項目や選択された設定項目を判別できる。そのため、映像表示装置２は、コンピュータ１の入力装置１２による操作結果に応じて、メニュー画像から選択された設定項目に対応する処理を実行できる。【００３２】
したがって、ユーザは、コンピュータ１の入力装置１２を用いて映像表示装置２のメニュー画像から各種の表示設定が可能になる。また、ユーザは、リモートコントローラによるメニュー操作と同様の操作感で、コンピュータ１の入力装置１２を用いて映像表示装置２のメニューを操作できる。
（第２の実施の形態）
第１の実施の形態では、映像表示装置２の機器処理部２５がメニュー位置情報とカーソル位置情報に基づいてメニュー画像の表示領域内にカーソルが移動したか否かを判定する例を示した。第２の実施の形態は、これらの処理をコンピュータ１で実行する例である。コンピュータ１及び映像表示装置２の構成は、図１に示した第１の実施の形態と同様であるため、その説明は省略する。【００３３】
図７は、第２の実施の形態の映像表示システムの処理手順を示すシーケンス図である。【００３４】
図７に示すように、第２の実施の形態では、コンピュータ１の情報処理部１１がメニュー操作開始信号を送信すると、映像表示装置２の機器処理部２５は、メニュー制御部２２を用いてメニュー画像を表示すると共に、該メニュー画像の情報であるメニュー情報をコンピュータ１に送信する。メニュー情報には、メニュー画像の表示位置を示すメニュー位置情報及びメニュー画像から遷移する各設定項目を識別するためのＩＤ情報が含まれている。【００３５】
コンピュータ１は、映像表示装置から受信したメニュー位置情報と、自装置内で取得したカーソル位置情報とに基づいて、カーソルがメニュー画像の表示領域内に移動したか否かを検出する。カーソルがメニュー画像の表示領域内に移動した場合、情報処理部１１は、メニュー画像内のカーソルの位置に対応する設定項目を判別し、該設定項目のＩＤ情報及び該設定項目が操作対象であることを示す情報を映像表示装置の機器処理部に送信する。【００３６】
映像表示装置２の機器処理部２５は、コンピュータ１から受信したＩＤ情報をメニュー制御部２２へ転送する。メニュー制御部２２は、第１の実施の形態と同様に、ＩＤ情報で指定された操作対象の設定項目、例えば図４〜図６に示す「信号切替」の表示色を変更し、「信号切替」が操作対象になったことをユーザに提示する。【００３７】
また、コンピュータ１は、ユーザによるマウスのクリック操作等が発生すると、操作対象の設定項目が選択されたと判定し、該設定項目のＩＤ情報及び該設定項目が選択項目であることを示す情報を映像表示装置２の機器処理部２５に送信する。機器処理部２５は、コンピュータ１から受信したＩＤ情報をメニュー制御部２２へ転送する。【００３８】
メニュー制御部２２は、機器処理部２５から転送されたＩＤ情報にしたがって、選択された設定項目に対応する処理を実行する。具体的には、メニュー制御部２２は、選択された設定項目から遷移する所定の設定画面を表示する。または、メニュー制御部２２は、選択された設定項目に対応する表示設定を実行する。【００３９】
なお、第２の実施の形態においても、コンピュータ１の情報処理部１１は、ユーザによってメニュー操作の開始が指示されてからメニュー操作の終了が指示されるまで、選択操作によるイベント信号が発行されても、表示映像内に配置された描画オブジェクトに対応する処理を実行しないようにする。【００４０】
第２の実施の形態の映像表示システムによれば、映像表示装置２からコンピュータ１にメニュー情報を送信し、コンピュータ１が該メニュー情報にしたがってメニュー画像内の操作対象の設定項目や選択された設定項目を示すＩＤ情報を映像表示装置２に送信するため、映像表示装置２は、コンピュータ１の入力装置１２による操作結果に応じて、メニュー画像から選択された設定項目に対応する処理を実行できる。【００４１】
したがって、第２の実施の形態の映像表示システムにおいても、第１の実施の形態と同様に、ユーザは、コンピュータ１の入力装置１２を用いて映像表示装置２のメニュー画像から各種の表示設定が可能になる。また、ユーザは、リモートコントローラによるメニュー操作と同様の操作感で、コンピュータ１の入力装置１２を用いて映像表示装置２のメニューを操作できる。【００４２】
以上、実施形態を参照して本願発明を説明したが、本願発明は上記実施形態に限定されものではない。本願発明の構成や詳細は本願発明のスコープ内で当業者が理解し得る様々な変更が可能である。
【図１】
0005511023.tif 000002
【図２】
0005511023.tif 000003
【図３】
0005511023.tif 000004
【図４】
0005511023.tif 000005
【図５】
0005511023.tif 000006
【図６】
0005511023.tif 000007
【図７】
0005511023.tif 000008